(57)【要約】      （修正有）【課題】定規上への表示を適切にし、容易に用紙を希望の大きさに裁断することができる様にした定規を提供する。【解決手段】定規１０は、定規本体１１の表面部１２に用紙サイズ表記部１３が設けられている。上記用紙サイズ表記部１３は、定規本体１１の長さ方向に沿って大きさの相違に従い複数種類設けられると共に、ＩＳＯ規格に基づくＢ４，Ａ４等の表記を含んでいる。さらに、定規本体１１の一方の幅方向側縁部１４には、用紙を上記各用紙サイズ表記部１３に合わせて裁断する場合に、カッターの刃部を当接させて移動させうるガイド部１５が定規本体１１の長さ方向に沿って突設されている。上記ガイド部１５は、ステンレス製であって、全体棒状に形成され、定規本体１１の幅方向側縁部１４に固定されている。また、上記定規本体１１の裏面部１６には、カッターを使用して裁断する場合に用紙上に定規本体１１を仮固定しうる滑り止め部１７が設けられている。【選択図】図１
0003164899.tif 000002
【実用新案登録請求の範囲】
【請求項１】
定規本体の表面部に用紙サイズ表記部が設けられていることを特徴とする定規。
【請求項２】
上記用紙サイズ表記部は、定規本体の長さ方向に沿って大きさの相違に従い複数種類設けられると共に、ＩＳＯ規格に基づく表記を含むことを.特徴とする請求項１記載の定規。
【請求項３】
上記定規本体の幅方向側縁部には、用紙を裁断する場合に、カッターの刃部を当接させて移動させうるガイド部が定規本体の長さ方向に沿って突設されていることを特徴とする請求項２記載の定規。
【請求項４】
上記定規本体の裏面部には、カッターを使用して裁断する場合に用紙上に定規本体を仮固  定しうる滑り止め部が設けられていることを特徴とする請求項３記載の定規。
【請求項５】
上記定規本体の表面部には、幅方向に沿って視認しうる数値目盛及び長さ方向に沿って視認しうる数値目盛が設けられていることを特徴とする  請求項４記載の定規。
【請求項６】
上記定規本体の長さ方向一端縁には、長さ計測目盛数値の０に対応する目盛が配置され、上記長さ方向一端縁から計測できるように構成されていることを特徴とする請求項５記載の定規。
【請求項７】
上記定規本体の長さ方向に沿って配置された各々の１ｃｍの目盛単位において、上記１ｃｍ目盛単位内の５ｍｍ目盛の前後に配置された各々４本の１ｍｍ目盛の長さが、上記５ｍｍ目盛の前後で夫々異なることを特徴とする請求項６記載の定規。
【請求項８】
上記定規本体の長さ方向に沿って配置された数値目盛部には、１０ｃｍ間隔毎に異なる色彩が施されていることを特徴とする請求項７記載の定規。
【請求項９】
上記長さ方向に沿って視認しうる数値目盛の側方には、左利き使用者が定規本体を縦方向に使用する場合に視認する数値が、上記長さ方向に沿って視認する数値目盛とは逆順であって、個々の数字が逆転されて配置されていることを特徴とする請求項１記載の定規。
【考案の詳細な説明】
【技術分野】
【０００１】
本考案は定規に係り、特に、サイズに合わせて容易に用紙を裁断するために用いることができる定規に関する。
【背景技術】
【０００２】
一般に、定規は対象物長さの計測のみならず、例えば、用紙を、使用したい大きさに合わせてカッターにより裁断する場合に使用されることが多い。
【０００３】
この場合、ＩＳＯ規格の用紙の大きさ（Ａ４、Ｂ４等）の大きさが表示された定規は流通しておらず、従来より、用紙の大きさを一目で視認でき、希望する大きさに用紙を手軽に裁断したい、という要請があった。
【考案の開示】
【考案が解決しようとする課題】
【０００４】
本願考案はこのような従来の要請に応えるものであって、容易に用紙を希望の大きさに裁断する場合に使用に供することができる定規を提供する点にある。
【課題を解決するための手段】
【０００５】
このような課題達成のため、請求項１記載の考案にあっては、定規本体の表面部に用紙サイズ表記部が設けられていることを特徴とする。
従って、請求項１記載の考案にあっては、用紙のサイズを確認することができる。
【０００６】
請求項２記載の考案にあっては、上記用紙サイズ表記部は、定規本体の長さ方向に沿って大きさの相違に従い複数種類設けられると共に、ＩＳＯ規格に基づく表記を含むことを特徴とする。
従って、請求項２記載の考案にあっては、希望のサイズにより用紙を裁断することができる。
【０００７】
請求項３記載の考案にあっては、上記定規本体部の幅方向側縁部には、用紙を裁断する場合にカッターを当接させて移動させうるガイド部が定規本体の長さ方向に沿って突設されていることを特徴とする。
【０００８】
従って、請求項３記載の考案にあっては、用紙を裁断する際にはカッターの刃部を上記ガイド部に当接させて裁断することができる。
【０００９】
請求項４記載の考案にあっては、上記定規本体の裏面部には、カッターを使用して裁断する場合に用紙上に定規本体を仮固定しうる滑り止め部が設けられていることを特徴とする。
従って、請求項４記載の考案にあっては、上記定規本体の裏面部には滑り止め部が設けられていることから、カッターを使用して用紙を裁断する場合にもカッターを移動させる方向に定規本体がズレてしまう事態を防止することができる。
【００１０】
請求項５記載の考案にあっては、上記定規本体表面部には、幅方向に沿って視認しうる数値目盛及び長さ方向に沿って視認しうる数値目盛が設けられていることを特徴とする。
請求項５記載の考案にあっては、定規本体を横方向に使用することもでき、定規本体を縦方向に使用することもできる。
【００１１】
請求項６記載の考案にあっては、上記定規本体の長さ方向一端縁には、長さ計測目盛数値の０に対応する目盛が配置され、上記長さ方向一端縁から計測できるように構成されていることを特徴とする。
従って、請求項６記載の考案にあっては、上記長さ方向一端縁から計測できるように構成されているから、定規本体の長さ方向一端縁を計測対象物の計測始点に配置して計測することができる。
【００１２】
請求項７記載の考案にあっては、上記定規本体の長さ方向に沿って配置された各々の１ｃｍの目盛単位において、上記１ｃｍ目盛単位内の５ｍｍ目盛の前後に配置された各々４本の１ｍｍ目盛の長さが、上記５ｍｍ目盛の前後で夫々異なることを特徴とする。
【００１３】
請求項８記載の考案にあっては、上記定規本体の長さ計測目盛部には、１０ｃｍ間隔毎に異なる色彩が施されていることを特徴とする。従って、請求項８記載の考案にあっては、色彩の相違により１０ｃｍの間隔寸法を認識することができる。
請求項９記載の考案にあっては、上記長さ方向に沿って視認しうる数値目盛の側方には、左利き使用者が定規本体を縦方向に使用する場合に視認する数値が、上記長さ方向に沿って視認する数値目盛とは逆順であって、個々の数字が逆転されて配置されていることを特徴とする。  
従って、左利きの人が本考案に係る定規を縦方向に使用する場合には、上記左利き使用者用の数値を視認して使用することができる。
【考案の効果】
【００１４】
請求項１記載の考案にあっては、定規本体表面部に用紙サイズ表記部が設けられており、用紙のサイズを確認することができることから、使用者は、容易に用紙を希望の大きさに裁断することができる。
【００１５】
請求項２記載の考案にあっては、上記用紙サイズ表記部は、定規本体の長さ方向に沿って大きさの相違に従い複数種類設けられると共に、ＩＳＯ規格に基づく表記を含み、用紙が複数種類の用紙サイズのいずれにあたるかを、目視により一目で確認することができることから、容易に希望のサイズにより用紙を裁断することができる。
【００１６】
請求項３記載の考案にあっては、上記定規本体部の幅方向側縁部には、用紙を裁断する場合に、カッターを当接させて移動させうるガイド部が定規本体の長さ方向に沿って突設されており、用紙を裁断する際にはカッターの刃部を上記ガイド部に当接させて裁断することができることから、用紙を容易に裁断することができると共に、裁断の際に、定規本体をカッターの刃部により傷つける事態を有効に防止することができる。
【００１７】
請求項４記載の考案にあっては、上記定規本体の裏面部には、カッターを使用して裁断する場合に用紙上に定規本体を仮固定しうる滑り止め部が設けられており、カッターを使用して用紙を裁断する場合にもカッターを移動させる方向に定規本体がズレてしまう事態を防止することができることから、裁断の際に定規本体がズレてしまうことによる用紙の裁断線が歪んでしまう事態を有効に防止することができる。
【００１８】
請求項５記載の考案にあっては、上記定規本体表面部には、幅方向に沿って視認しうる数値目盛及び長さ方向に沿って視認しうる数値目盛が設けられており、定規本体を横方向に使用することもでき、定規本体を縦方向に使用することもできることから、使用方向によって定規本体の配置の方向を修正する必要がなく、使い勝手の良い定規を提供することができる。
【００１９】
請求項６記載の考案にあっては、上記定規本体の長さ方向一端縁には、長さ計測目盛数値の０に対応する目盛が配置され、上記長さ方向一端縁から計測できるように構成されており、定規本体の長さ方向一端縁を計測対象物の計測始点に配置して計測することができることから、計測対象物の端部に定規本体の端縁を合わせることによって容易に計測を行うことができる。
【００２０】
請求項７記載の考案にあっては、上記定規本体の長さ方向に沿って配置された各々の１ｃｍの目盛単位において、上記１ｃｍ目盛単位内の５ｍｍ目盛の前後に配置された各々４本の１ｍｍ目盛の長さが、上記５ｍｍ目盛の前後で夫々異なることから、使用者が１ｍｍ目盛を見やすい定規を提供することができる。
【００２１】
請求項８記載の考案にあっては、上記定規本体の長さ計測目盛部には、１０ｃｍ間隔毎に異なる色彩が施されていることから、色彩の相違により１０ｃｍの間隔寸法を認識することができる。
その結果、１０ｃｍの計測単位を容易に一目して認識できる視認性のよい定規を提供することができる。
請求項９記載の考案にあっては、左利きの人が本考案に係る定規を縦方向に使用する場合には、上記左利き使用者用の数値を視認して使用することができることから、左利きの使用者にも使用しやすい定規を提供することができる。
【図面の簡単な説明】
【００２２】
【図１】本考案に係る定規を示す平面図である。
【図２】本考案に係る定規を示す部分拡大図である。
【図３】本考案に係る定規の、平面図におけるA―A線断面図である。
【考案を実施するための最良の形態】
【００２３】
以下、本考案に係る定規を添付図面に示す実施の形態に基づき詳細に説明する。
図１及び図２に示すように、本実施の形態に係る定規１０は、定規本体１１の表面部１２に用紙サイズ表記部１３が設けられている。上記用紙サイズ表記部１３は、定規本体１１の長さ方向に沿って大きさの相違に従い複数種類設けられると共に、ＩＳＯ規格に基づく表記を含んでいる。
【００２４】
上記ＩＳＯ規格表記は、Ｂ４、Ａ４、Ｂ５等の用紙のサイズの表記からなり、さらに、名刺サイズ等の表記も記載されている。
【００２５】
図１及び図３に示すように、上記定規本体１１の一方の幅方向側縁部１４には、用紙を上記各用紙サイズ表記部１３に合わせて裁断する場合に、カッターの刃部２２を当接させて移動させうるガイド部１５が定規本体１１の長さ方向に沿って突設されている。
上記ガイド部１５は、ステンレス製であって、全体棒状に形成され、定規本体１１の幅方向側縁部１４に固定されている。
【００２６】
図１に示すように、上記定規本体１１の裏面部１６には、カッターを使用して裁断する場合に用紙上に定規本体１１を仮固定しうる滑り止め部１７が設けられている。上記滑り止め部１７は合成樹脂製の円盤状パッドにより形成され、長さ方向に沿って、長さ方向両端部及び中央部の３ヶ所に設けられている。
【００２７】
上記定規本体１１の表面部１２には、定規本体１１を横方向に使用した場合に視認する横方向数値目盛１８及び定規本体１１を縦方向に使用した場合に視認する縦方向数値目盛１９が設けられている。
上記横方向数値目盛１８は、定規本体１１を横方向に沿って使用する際に見やすいように、定規本体１１の幅方向の一方の端部に幅方向に沿って目盛数字が配置されていると共に、上記縦方向数値目盛１９は、定規本体１１を縦方向に沿って使用する際に見やすいように、定規本体１１の幅方向の他端部に長さ方向に沿って配置されている。
また、上記縦方向数値目盛１９の内側方には、左利き使用者が定規本体１１を縦方向に使用する場合に視認する数値目盛２６が、上記縦方向数値目盛１９と逆順であって、かつ個々の数字が逆転して配置されている。  
従って、左利きの人が本実施の形態に係る定規１０を縦方向に使用する場合には、上記左利き使用者用の数値目盛２６を視認して使用することができる。
【００２８】
上記定規本体１１の長さ方向一端縁２０には、長さ計測目盛数値の０に対応する目盛２１が配置され、上記長さ方向一端縁２０から計測対象物をダイレクトに計測できるように構成されている。
【００２９】
即ち、本実施の形態にあっては、一般の定規とは異なり、定規本体１１の長さ方向一端縁２０から離間することなく、長さ方向一端縁２０そのものに長さ計測目盛数値の０に対応する目盛２１が配設されている。
上記横方向数値目盛１８は、５ｍｍ毎に長さ及び太さが異なる表示線２３により表示されている。
【００３０】
上記縦方向数値目盛１９には、数値目盛０ｃｍから１０ｃｍの間の部位２４及び２０ｃｍから３０ｃｍとの間の部位２５には、数値目盛０ｃｍと１０ｃｍとの間を被覆し、１０ｃｍ以上の部位と視覚的に区別しうるように黒色の色彩が所定幅に亘って施されている。
また、図２に示すように、本実施の形態にあっては、上記横方向数値目盛１８の各々の１ｃｍの目盛単位３０において、上記１ｃｍの目盛単位内の５ｍｍ目盛２７の前後に配置された各々４本の１ｍｍ目盛２８ａ、２８ｂの長さが、５ｍｍ目盛の前後で夫々異なるように配置されている。
即ち、本実施の形態にあっては、各々の1ｃｍの目盛単位３０にあっては、５ｍｍ目盛２７の前部、即ち、当該ｃｍ目盛３１〜５ｍｍ目盛２７の間に配置された４本の１ｍｍ目盛２８ａは、５ｍｍ目盛２７の長さ寸法の半分以下の長さ寸法に形成されていると共に、５ｍｍ目盛の後部、即ち、５ｍｍ目盛２７〜当該ｃｍ目盛３２との間に配置された４本の１ｍｍ目盛２８ｂは、５ｍｍ目盛２７の長さ寸法よりも僅かに短い長さ寸法に形成されている。
【００３１】
以下、本実施の形態に係る定規の作用について説明する。
本実施の形態に係る定規を使用して用紙を適宜のＩＳＯ規格規格の大きさに裁断する場合には、定規本体１１の表面部１２に設けられた用紙サイズ表記部１３を利用して、夫々、Ｂ４、Ａ４、Ｂ５等の用紙のサイズの表記に合わせて用紙を裁断する。
【００３２】
また、裁断する場合には、カッターの刃部２２を上記ガイド部１５に当接させてガイド部１５に沿わせて移動させることにより裁断することができる。また、この場合、上記定規本体１１の裏面部１６に設けられた３つの滑り止め部１７により定規本体１１は用紙の紙面に密着することから、カッターの刃部により用紙に切り込んで裁断した場合であっても、用紙上を定規本体１１がズレることがなく、定規本体１１に沿って正確に裁断することができる。
【００３３】
上記定規本体１１の表面部１２には、横方向数値目盛１８及び縦方向数値目盛１９が設けられている。上記横方向数値目盛１８は、定規本体１１を横方向に沿って使用する際に見やすいように、定規本体１１の幅方向に沿って目盛数字が配置されていると共に、定規本体１１を縦方向に沿って使用する際に見やすいように、縦方向数値目盛１９が設けられている。
また、上記縦方向数値目盛１９の内側方には、左利き使用者が定規本体１１を縦方向に使用する場合に視認する数値目盛２６が、上記縦方向数値目盛１９とは逆順であって、かつ逆転されて配置されていることから、左利きの人が本実施の形態に係る定規１０を縦方向に使用する場合には、上記左利き使用者用の数値目盛２６を視認して使用することができる。
【００３４】
上記定規本体１１の長さ方向一端縁２０には、長さ計測目盛数値の０に対応する目盛２１が配置され、上記長さ方向一端縁２０からダイレクトに計測できるように構成されている。
即ち、本実施の形態にあっては、一般の定規とは異なり、定規本体１１の長さ方向一端縁２０から離間することなく、長さ方向一端縁２０そのものに長さ計測目盛数値の０に対応する目盛２１が配設されている。その結果、計測対象物の端部に定規本体１１の長さ方向一端縁２０を配置することにより、即時に、計測することができる。
【００３５】
上記定規本体１１の長さ方向に沿って配置された長さ計測目盛は、５ｍｍ毎に長さ及び太さが異なる表示線２３により表示されていることから、使用者は５ｍｍ毎の間隔寸法を容易に視認することができる。
【００３６】
上記縦方向数値目盛１９においては、数値目盛０ｃｍから１０ｃｍの間の部位２４及び２０ｃｍから３０ｃｍの間の部位２５には、他の部位と視覚的に区別しうるように黒色の色彩が施されている。
その結果、使用者は、数値目盛０ｃｍから１０ｃｍの間の部位２４及び２０ｃｍから３０ｃｍの間の部位を視認して把握しやすく、使用者は本実施の形態に係る定規１０を計測対象物にラフに当てた場合であっても、１０ｃｍ以上であるか、又は１０ｃｍ以下であるかを容易に認識することができる。
また、本実施の形態にあっては、上記定規本体１１の長さ方向に沿って配置された１ｍｍ目盛２８が、各々の１ｃｍの目盛単位３０において、上記１ｃｍの目盛単位内の５ｍｍ目盛２７の前後に配置された各々４本の１ｍｍ目盛２８ａ、２８ｂの長さが、５ｍｍ目盛２７の前後で、夫々、異なるように配置されていることから、使用者は、定規本体１１の長さ方向に沿って、多数の１ｍｍ目盛２８が配置されているが、各１ｃｍの目盛単位３０内において、５ｍｍ目盛２７の前後で異なる長さ寸法となっており、使用者は１ｍｍ目盛２８を視認しやすい。
なお、本実施の形態にあっては、滑り止め部１７が３個設けられている場合を例に説明したが、本実施の形態に限定されず、長さ寸法に応じて、適宜、２個乃至５個の場合もある。
【産業上の利用可能性】
【００３７】
本考案は、用紙を裁断したり、その他一般の定規として使用する定規に広く適用することができる。
【符号の説明】
【００３８】
１０  定規  
１１  定規本体
１２  表面部
１３  用紙サイズ表記部
１４  幅方向側縁部
１５  ガイド部
１６  裏面部
１７  滑り止め部
１８  横方向数値目盛
１９  縦方向数値目盛
２０  長さ方向一端縁
２１  目盛
２２  カッターの刃部
２３  表示線
２４  ０ｃｍから１０ｃｍの間の部位
２５  ２０ｃｍから３０ｃｍの間の部位
２６  左利き使用者用の数値目盛
２７  ５ｍｍ目盛
２８  １ｍｍ目盛
３０  １ｃｍ目盛単位
３１  当該ｃｍ目盛
３２  当該ｃｍ目盛
【図１】
0003164899.tif 000003
【図２】
0003164899.tif 000004
【図３】
0003164899.tif 000005